(57)【要約】      （修正有）【課題】平板状の整列具であるため、不慮の外力によって筆記具の円周形状に沿って整列具が湾曲してしまう危険性があり、見栄えを悪くしてしまったり、袋に対して筆記具と共に回転してしまい、クリップが背面に位置してしまうことを防止する。【解決手段】シース内に本体９とクリップ１１とからなる筆記具が挿入され、そのクリップと本体との間に板状の整列具１が挿着されると共に、その整列具には貫通孔が形成され、その貫通孔に前記本体を通過させると共に、貫通孔の前方部がクリップと本体によって挟着されてなる筆記具８のシースにおける整列具。【選択図】図５
2010104714.tif 000002
【特許請求の範囲】
【請求項１】
シース内に本体とクリップとからなる筆記具が挿入され、そのクリップと本体との間に板状の整列具が挿着されると共に、その整列具には貫通孔が形成され、その貫通孔に前記本体を通過させると共に、貫通孔の前方部がクリップと本体によって挟着されてなる筆記具のシースにおける整列具。
【請求項２】
シース内に本体とクリップとからなる筆記具が挿入され、そのクリップと本体との間に板状の整列具が挿着されると共に、その整列具には貫通孔が形成され、その貫通孔に前記本体を通過させると共に、貫通孔の前方部に切欠部を形成し、その切欠部に前記クリップの本体に対する挟着部が位置してなる筆記具のシースにおける整列具。
【請求項３】
シース内に本体と突部とからなる筆記具が挿入され、その本体には整列具が挿着されると共に、その整列具には貫通孔が形成され、その貫通孔に前記本体を通過させると共に、貫通孔の前端部に切欠部を形成し、その切欠部に前記突部が位置してなる筆記具のシースにおける整列具。
【請求項４】
前記貫通孔の前方部に第２の貫通孔を形成すると共に、その第２の貫通孔を前記クリップの側壁部に位置させてなる請求項１〜請求項３の何れかに記載の筆記具のシースにおける整列具。
【発明の詳細な説明】
【技術分野】
【０００１】
本発明は、筆記具のシースにおける整列具に関する。
【背景技術】
【０００２】
１例として、複数の筆記具を係止して整列配置する筆記具用整列具において、前記筆記具がクリップを有するものとすると共に、このクリップの基部に係止するスリットとクリップの玉部が落ち込む係止部とを有し、前記スリットにクリップの基部の幅よりも狭い内方凸部を形成した筆記具用整列具が知られている。
そして、その筆記具用整列具は、平板状をなしており、袋などのケースに収容して陳列される。
【特許文献１】特開１１−２１６０４８号公報。
【発明の開示】
【発明が解決しようとする課題】
【０００３】
しかし、上記の従来技術にあっては、複数本収容する整列具には効果があるものの、１本ごと袋に収納する整列具にあっては、些か問題があった。即ち、平板状の整列具であるため、不慮の外力によって筆記具の円周形状に沿って整列具が湾曲してしまう危険性があり、整列具としての効果を失してしまうばかりでなく、見栄えを悪くしてしまったり、ややもすると、袋に対して筆記具と共に回転してしまい、クリップが背面に位置してしまうことがある。
【課題を解決するための手段】
【０００４】
本発明は、上記の課題に鑑みてなされたものであって、シース内に本体とクリップとからなる筆記具が挿入され、そのクリップと本体との間に板状の整列具が挿着されると共に、その整列具には貫通孔が形成され、その貫通孔に前記本体を通過させると共に、貫通孔の前方部がクリップと本体によって挟着してなることを第１の要旨とし、シース内に本体とクリップとからなる筆記具が挿入され、そのクリップと本体との間に板状の整列具が挿着されると共に、その整列具には貫通孔が形成され、その貫通孔に前記本体を通過させると共に、貫通孔の前方部に切欠部を形成し、その切欠部に前記クリップの本体に対する挟着部が位置してなることを第２の要旨とし、シース内に本体と突部とからなる筆記具が挿入され、その本体には整列具が挿着されると共に、その整列具には貫通孔が形成され、その貫通孔に前記本体を通過させると共に、貫通孔の前端部に切欠部を形成し、その切欠部に前記突部が位置してなることを第３の要旨とする。
【発明の効果】
【０００５】
本発明は、シース内に本体とクリップとからなる筆記具が挿入され、そのクリップと本体との間に板状の整列具が挿着されると共に、その整列具には貫通孔が形成され、その貫通孔に前記本体を通過させると共に、貫通孔の前方部がクリップと本体によって挟着してなることを第１の要旨とし、シース内に本体とクリップとからなる筆記具が挿入され、そのクリップと本体との間に板状の整列具が挿着されると共に、その整列具には貫通孔が形成され、その貫通孔に前記本体を通過させると共に、貫通孔の前方部に切欠部を形成し、その切欠部に前記クリップの本体に対する挟着部が位置してなることを第２の要旨とし、シース内に本体と突部とからなる筆記具が挿入され、その本体には整列具が挿着されると共に、その整列具には貫通孔が形成され、その貫通孔に前記本体を通過させると共に、貫通孔の前端部に切欠部を形成し、その切欠部に前記突部が位置してなることを第３の要旨としているので、整列具は勿論、筆記具がシースに対して回転しないため、クリップや突部を常に正面を向けた状態で陳列させておくことができる。
【発明を実施するための最良の形態】
【０００６】
作用について説明する。整列具の貫通孔に本体を通過させることによって、整列具の前方部が本体の正面部に位置し、一方、整列具の後部が本体の背面部に位置するようになる。これによって、整列具の中間部は湾曲された状態となる。その湾曲作用によって、整列具が立体的となり、シースに対する回転が防止される。
また、整列具が湾曲しているため、仮に、横方向から不慮の外力が作用したとしても、湾曲した形状を極力維持することができる。
【０００７】
第１例を示す。整列具１は、シート状の樹脂材質から構成されている。その樹脂材質としては、ポリプロピレンが使用されているが、ポリエチレンテレフタレートやポリカーボネイトなどであっても良く、また、画用紙など比較的硬質な紙材質や、アルミニウムやステンレスなどと言った薄板状の金属材質であっても良い。そして、そのシート状の整列具１の表面に模様や絵などを付し、装飾性を向上させても良い。尚、本実施例において、整列具１は長方形状をなしているが、正方形であっても良く、或いは楕円形状であっても良い。また、整列具１は、その整列具１を作成する段階においては平板状をなしているが、湾曲させた状態で形成しても良い。さらに、整列具１の横方向における幅は、後述する袋状のシースの幅よりも若干、狭く形成されている。筆記具もシースに挿入されることによって、そのシースが膨れ上がり、その膨れによってシースの幅が狭くなるためである。この狭くなった時の幅に合わせて、整列具１の幅も狭くしている。
その整列具１の端部近傍には、貫通孔２が形成されているが、その貫通孔２の大きさは後述するキャップが入り込める程度の大きさになっている。その貫通孔２の後端部は、円弧状（円弧部３）をなしているが、側壁部と前端部は直線状（直線部４）をなしており、それら円弧部３と直線部４の厚み方向（内側面）における角部には面取り部５が施されている。貫通孔２の内側面に筆記具に装着された際、その筆記具との接触による、筆記具への傷を防止しているのである。また、整列具１の周縁部における角部、並びに、厚み方向における側壁部は、面取り加工（面取り部６、７）が施されている。この整列具１をシース（袋体）に挿入された際、そのシースとの接触による、シースへの傷や亀裂を防止しているのである。
【０００８】
次に、前記整列具が挿着される筆記具について説明する。筆記具８は、本体９とキャップ１０とから構成されており、そのキャップ１０にはクリップ１１が設けられているが、そのクリップ１１の後方部には、前記キャップ１０の延設部１２が形成されている。そして、その延設部１２とキャップ１０との連接部分には、段部１３が形成されている。また、クリップ１１の背面、即ち、キャップ１０の方向には玉部１１ａが形成されており、その玉部１０ａはキャップ１０の表面に接触している。
次に、前記整列具１の筆記具８への挿着方法について説明する。本体９にキャップ１０を嵌合させた状態で、整列具１の貫通孔２にクリップ１１を通過させ（図７参照）、次いで、整列具１の後方部をキャップ１０の背面に向けて湾曲させ、前記の貫通孔２の円弧部３をキャップ１０の段部１３に引っ掛け、係合させる。この時、そのキャップ１０とクリップ１１の玉部１１ａとの間には、前記整列具１の前方部が挟着されている（図８、図９参照）。この挟着作用によって、整列具１の後方部が湾曲しているのにも拘らず、前方部がキャップ１０から離隔しないようになっている。つまり、整列具１は、貫通孔２の後端部をキャップ１０の段部１３に係合させることによって、湾曲した立体形状を得ている。
次に、筆記具８に挿着された整列具１が袋状のシース１４の前方、或いは、後方から挿入されるが、この時、整列具１の前方がクリップ１１の玉部１１ａによって挟着され、後部が段部１３に係合しているため、整列具１は筆記具８から外れることなくスムーズにシース１４内に挿入される。ここで、その整列具１の中間部が湾曲された状態となっており、立体形状をなしているため、シース１４に対する回転が防止される。整列具１の幅方向における両端部がシース１４の幅方向における内面に接触する（図１０参照）と共に、クリップ１１の表面がシース１４の表面の内面に接触し、且つ、整列具１の後端部１ａがシース１４の裏面の内面に接触する（図１１、図１２参照）ため、整列具１のシース１４に対する回転が防止されるのである。即ち、袋状のシース１４によってクリップ１１の表面と整列具１の後端部が押さえ付けられているのである。尚、前記整列具１の後端部１ａは、僅かに湾曲する時もあるが、ほぼ直線状となっている。
また、整列具１は湾曲しているため、仮に、横方向から不慮の外力が作用したとしても、その湾曲した形状が維持され、これによって、筆記具が保護されると共に、外観の見栄えも維持される。
尚、本例における整列具１の貫通孔２の後部は、挟み込まれるキャップ１０の断面形状に合わせて円弧部３となっているが、キャップの断面形状が四角形である場合には、直線部とするのが好ましい。
【０００９】
第２例を図１３に示し示す。本例の整列具１５の前方部には、切欠部１６が形成されている。他の構成は、前記第１例の整列具と同様なので、その説明を省略する。前記切欠部１６は、整列具１５を筆記具８に挿着した際、クリップ１１の玉部１１ａに位置するようになっている。言い換えると、玉部１１ａに嵌り込むようになっている。これによって、玉部１１ａが横方向に移動しようとすると、前記切欠部１６の内側面部に接触し、その玉部１１ａの振れが防止されるのである。即ち、クリップ１１の整列具１５、並びに、シース１４に対する横方向における振れが防止されるようになる。勿論、整列具１５は、湾曲しているため、その整列具１５に挿着されている筆記具のシース１４に対する回転も帽子される。
【００１０】
第３例を図１４に示す。本例における整列具１７の中間部には、長方形状の第２貫通孔が形成されている。以下具体的に説明する。整列具１７の後方部には前例と同様に貫通孔１８が形成されている、また、前方部には切欠部１９が形成されている。そして、それら貫通孔１８と切欠部１９との間には、長方形状の第２貫通孔２０が形成されている。その第２貫通孔２０は、クリップ１１の側面部が入り込む孔となっている。勿論、前記貫通孔１８の後端部はキャップ１０の段部１３に係合しており、切欠部１９はクリップ１１の玉部１１ａに嵌り込んでいる。
前記第２貫通孔２０は、整列具１７が湾曲することによって、クリップ１１の側面部に位置されるようになり、これによってクリップ１１の整列具１８に対する横方向の振れが防止されている。つまり、クリップ１１は、第２貫通孔２０と切欠部１９とによって横方向への振れが防止されることになる。本例においては、仮に、クリップ１１の玉部１１ａが切欠部１９を乗り越えようとしても、前記第２貫通孔２０の内側面にクリップ１１の側面が接触することによって、クリップ１１の振れが防止されると共に、そのクリップ１１を形成している筆記具８の振れも防止されることになる。
【００１１】
第４例を図１７〜図１９に示し説明する。前記第２例と同一の整列具１３をノック式筆記具２１に挿着した例である。整列具１３の貫通孔２の後方に形成されている円弧部３は、本体部よりも縮径されたノック部材２２によって形成される段部２３に係合しており、また、整列具１５の切欠部１６はクリップ２４の玉部２４ａに嵌り込んでいる。これによって、筆記具２１の整列具１５に対する回転や横方向への振れが防止されると共に、シース１４に挿入した場合には、そのシース１４に対する回転や振れが防止される。
第５例を図２１、図２２に示し説明する。整列具２５の貫通孔２６をキャップ２７の後部の表面に接触・係合させた例である。本例の場合、キャップ２７とクリップ２８とが連結される基部２９が、前方に位置している。このように、クリップ２８の基部２９が前方に位置している場合には、段部がない筆記具にも本発明の整列具を適応させることができる。本例においても、クリップ２８の玉部２８ａが整列具２５の切欠部３０に位置している。符号３１は、キャップ２７の後部が接触・係合される貫通孔である。
【００１２】
第６例を図２３〜図２５に示し説明する。本例における筆記具３２には、前例のクリップに変え、突部３３が形成されている。整列具３４は前例と同様に貫通孔３５が形成されており、筆記具３２のノック部材３６に係合している。また、整列具３４には第２貫通孔３７が形成されており、その第２貫通孔３７に前記突部３３が嵌り込んでいる。これによって、筆記具３２の整列具３４に対する回転が防止される。
尚、本例における整列具３４は、クリップによって挟まれていないため、自らの弾性復帰力でその整列具３４の前方部が一直線上に復元してしまう可能性があるが、シース１４に挿入することによって、湾曲された状態が維持される。そして、その湾曲動作によって、整列具３４のシース１４に対する回転が防止される。また、整列具３４の前方部が、前記の復元力によって積極的にシース１４の表面の内面を付勢するため、より一層、シース１４に対する回転が防止される。
【図面の簡単な説明】
【００１３】
【図１】第１例を示す整列具の正面図。
【図２】図１の上面図。
【図３】図１の斜視図。
【図４】挿着過程を示す斜視図。
【図５】挿着例を示す正面図。
【図６】図５の側面図。
【図７】図５の上面図。
【図８】図５の正面斜視図。
【図９】図５の背面斜視図。
【図１０】シースに挿入した状態を示す正面図。
【図１１】図１０の側面図。
【図１２】図１０のＡ−Ａ線断面図。
【図１３】第２例を示す整列具の正面図。
【図１４】第３例を示す整列具の正面図。
【図１５】挿着例を示す正面斜視図。
【図１６】挿着例を示す背面斜視図。
【図１７】第４例の整列具の挿着例を示す正面斜視図。
【図１８】第４例の整列具の挿着例を示す背面斜視図。
【図１９】シースに挿入した状態を示す正面図。
【図２０】図１９のＢ−Ｂ線断面図。
【図２１】第５例の整列具の挿着例を示す正面斜視図。
【図２２】第５例の整列具の挿着例を示す背面斜視図。
【図２３】第６例の整列具の挿着例を示す正面斜視図。
【図２４】第６例の整列具の挿着例を示す背面斜視図。
【図２５】シースに挿入した状態を示す側面図。
【符号の説明】
【００１４】
１    整列具
２    貫通孔
３    円弧部
４    直線部
５    面取り部
６    面取り部
７    面取り部
８    筆記具
９    本体
１０    キャップ
１１    クリップ
１２    玉部
１３    段部
１４    シース
１５    整列具
１６    切欠部
１７    整列具
１８    貫通孔
１９    切欠部
２０    第２貫通孔
２１    ノック式筆記具
２２    ノック部材
２３    段部
２４    クリップ
２５    整列具
２６    貫通孔
２７    キャップ
２８    クリップ
２９    基部
３０    切欠部
３１    貫通孔
３２    筆記具
３３    突部
３４    整列具
３５    貫通孔
３６    ノック部材
３７    第２貫通孔
【図１】
2010104714.tif 000003
【図２】
2010104714.tif 000004
【図３】
2010104714.tif 000005
【図４】
2010104714.tif 000006
【図５】
2010104714.tif 000007
【図６】
2010104714.tif 000008
【図７】
2010104714.tif 000009
【図８】
2010104714.tif 000010
【図９】
2010104714.tif 000011
【図１０】
2010104714.tif 000012
【図１１】
2010104714.tif 000013
【図１２】
2010104714.tif 000014
【図１３】
2010104714.tif 000015
【図１４】
2010104714.tif 000016
【図１５】
2010104714.tif 000017
【図１６】
2010104714.tif 000018
【図１７】
2010104714.tif 000019
【図１８】
2010104714.tif 000020
【図１９】
2010104714.tif 000021
【図２０】
2010104714.tif 000022
【図２１】
2010104714.tif 000023
【図２２】
2010104714.tif 000024
【図２３】
2010104714.tif 000025
【図２４】
2010104714.tif 000026
【図２５】
2010104714.tif 000027